(57)【特許請求の範囲】
【請求項１】
胴部と、前記胴部の天面を覆う頂部と、を備えて内部に複数の物品を収容し、当該収容状態において略直方体形状を呈する包装袋であって、
前記頂部は、天面部およびその周縁に付帯する立ち上がり部を含み、
前記天面部には、前記包装袋を開封するための開封線が設けられ、
前記開封線の両側を互いに離れる方向に引っ張って破断させる操作を受容する掴み代が形成されるように、収容された物品と前記天面部とに間隙が設けられており、
前記物品を収容する際に前記間隙が形成されるように、前記物品の収容空間を規制する規制部が設けられており、
前記規制部は、前記略直方体を天面側からみた場合の前記包装袋の断面積が前記包装袋の前記天面部の面積より小さくなり、且つ、収容された前記複数の物品が、前記規制部より前記包装袋の天面側に行かないように配置されていることを特徴とする包装袋。
【請求項２】
前記頂部の天面上に高さが１ｃｍ以上の前記掴み代が形成されるように前記間隙が設けられていることを特徴とする請求項１に記載の包装袋。
【請求項３】
前記間隙は、前記略直方体を天面側からみた場合の略長方形の短辺の長さの２分の１以上であることを特徴とする請求項１または請求項２に記載の包装袋。
【請求項４】
前記間隙は、前記短辺の長さ以上であることを特徴とする請求項３に記載の包装袋。
【請求項５】
前記物品は、衛生用品であることを特徴とする請求項１から請求項４のいずれか一項に記載の包装袋。
【請求項６】
請求項１から請求項５のいずれか一項に記載の包装袋により物品が収容されていることを特徴とする包装体。
【発明の詳細な説明】
【技術分野】
【０００１】
本発明は、包装袋および包装体に関し、特に物品を収容するのに好適な包装袋および当該包装袋により物品を収容した包装体に関する。
【背景技術】
【０００２】
従来、物品、例えば、靴下、肌着等の衣類や、使い捨ておむつ、軽失禁パッド、生理用品等の衛生用品を収容可能な包装袋に、可能な限り多くの数の物品を効率良く収容させるため、形状、材質、収容方法に様々な工夫がなされた包装袋が存在している。例えば、特許文献１には、複数の物品を圧縮した状態で整列して収容することで、効率良く物品を梱包した包装袋が示されている。
【０００３】
一方、物品を収容する包装袋には、簡単且つ迅速に開封できることが要望されており、例えば、包装袋の天面を覆う頂部にミシン目などの開封線が形成された部分を設け、当該部分を開封線に沿って破断することで、開封を容易にしたものが知られている。包装袋のうち開封線の近傍を掴んで開封線の両側を互いに離れる方向に引っ張ると、開封線に対して破断する力が有効に付与され、包装袋を容易に開封することができる。
【先行技術文献】
【特許文献】
【０００４】
【特許文献１】特開２００１−２４７１８１号公報
【発明の概要】
【発明が解決しようとする課題】
【０００５】
一般に、包装袋には、収容効率を高めるため、包装袋の内部には、底面から天面に至るまで、物品が密に収容されている。しかし、特許文献１に記載されたような包装袋では、頂部に開封線を設けた場合、開封線の両側には掴むことが可能な掴み代が形成されにくくなる。したがって、開封線を破断させる動作がやりにくくなることで、包装袋を開封するために手間が掛かる場合があった。
【０００６】
本発明の目的は、簡単且つ迅速に開封することが可能な包装袋および包装体を提供することにある。
【課題を解決するための手段】
【０００７】
本発明による包装袋は、胴部と、胴部の天面を覆う頂部と、を備えて物品を収容可能な包装袋であって、頂部の天面部には、包装袋を開封するための開封線が設けられ、開封線の両側を互いに離れる方向に引っ張って破断させる操作を受容する掴み代が形成されるように、収容された物品と頂部の天面部とに間隙が設けられていることを特徴とするものである。
【０００８】
また、本発明による包装体は、本発明による包装袋によって物品を収容したことを特徴とするものである。
【発明の効果】
【０００９】
本発明の包装袋および包装体によれば、簡単且つ迅速に開封することが可能となる。
【図面の簡単な説明】
【００１０】
【図１】本発明の実施形態１に係る包装袋および包装体の斜視図である。
【図２】本発明の実施形態１に係る包装袋および包装体を示す図であり、（ａ）は正面図、（ｂ）は上面図である。
【図３】本発明の実施形態１に係る、包装袋に形成される掴み代を掴んで開封する操作について説明するための図である。
【図４】本発明の実施形態２−１に係る、規制部によって間隙が形成された包装袋および包装体の斜視図である。
【図５】図４に示す包装袋および包装体の正面図である。
【図６】本発明の実施形態２−１に係る包装袋および包装体に設けられた規制部の形状の一例を示す図である。
【図７】本発明の実施形態２−２に係る、規制部によって間隙が形成された包装袋および包装体の斜視図である。
【図８】図７に示す包装袋および包装体を示し、（ａ）は正面図、（ｂ）は（ａ）のＶＩＩＩＢ−ＶＩＩＩＢ方向断面図である。
【発明を実施するための形態】
【００１１】
以下、図面を参照しながら本発明を実施するための形態を詳細に説明する。
【００１２】
本発明の実施形態に係る包装袋は、頂部の天面部と収容する物品とに間隙を設けることによって、当該天面部に設けられた開封線の両側を互いに離れる方向に引っ張って破断させる操作を受容する掴み代が形成されるようにすることで、簡単且つ迅速に包装袋を開封することが可能となるものである。
【００１３】
なお、本明細書および特許請求の範囲の記載において、「天面」および「底面」とは、包装袋によって画成された物品の収容空間の面自体を指すものとして参照される。但し、これらの用語はあくまで便宜上のものであり、重力方向における絶対的な位置を規定するものではないことは勿論である。また、「上」、「下」などの用語についても同様である。「底面部」とは、「底面」に位置している包装袋の実体的な部分を指すものとして参照される。一方、「頂部」とは、天面を覆っている実体的な部分である天面部と、これに必要に応じて付帯する部分と、を含む部分を言い、当該付帯部分がない場合には天面部自体と等しい。
【００１４】
また、本明細書および特許請求の範囲の記載において、「包装体」とは、物品が収容された状態の包装袋、特に包装袋に複数の物品が収容されることで製造された後であって且つ開封前のものをいう。
【００１５】
さらに、本明細書および特許請求の範囲の記載における「閉塞」という用語は、包装体の内部を雰囲気から完全に遮断すること（すなわち封止すること）だけでなく、包装体の内部を異物の侵入から効果的に保護できる程度に実質的に包装袋を閉じることも包含するものである。
【００１６】
本明細書および特許請求の範囲の記載において、「接着」とは、接着剤を使用したものの他、溶着によるもの、熱融着（以下、ヒートシールということがある）によるものも含む。
【００１７】
＜実施形態１＞  
図１および図２に本発明の実施形態１に係る包装袋１および包装体１００を示し、図１は斜視図、図２（ａ）は正面図、図２（ｂ）は上面図をそれぞれ表す。
【００１８】
本実施形態に係る包装袋１は、いわゆる、天面側に片ガセットを配置したタイプのものである。包装袋１は、天面と底面との間の物品（本実施形態においては衛生用品２）を収容する空間を実質的に画成する胴部３と、当該胴部３の天面を覆う頂部４とを備えて構成される。なお、これらの部分は別体に製造された後に一体化されたものではなく、１枚のシート状部材の折り曲げ等によって予め一体に形成されているものである。
【００１９】
本実施形態の包装袋１は、衛生用品２を複数収容した状態で略直方体形状を呈し、胴部３は、包装袋１の底面部と略垂直な４つの側面部を有する。図２（ｂ）に示すように、その略直方体を包装袋１の天面部５側からみた場合の包装袋１の上面の形状は略長方形である。本実施形態では、その略長方形のうち短辺をＬ１とする。なお、本明細書および特許請求の範囲の記載において「略直方体」というときは、当然に立方体も含まれるし、「略長方形」というときは、当然に正方形も含まれる。包装袋１の上面の形状が正方形である場合、いずれの辺を本明細書および特許請求の範囲の記載における短辺とみなしてもよい。
【００２０】
頂部４には、天面部５とこれに付帯する立ち上がり部６とが設けられる。天面部５の中央付近には、上記略長方形の長辺と平行に開封線７が設けられ、これを破断することで、包装袋１の開口が形成される。開封線７は、例えば、ミシン目として天面部５上に形成される。
【００２１】
図２（ａ）に示すように、包装袋１には、収容する衛生用品２と天面部５とに間隙Ｌ２が設けられる。本実施形態では、当該間隙Ｌ２が設けられることによって、包装袋１の天面部６に掴み代を形成することが可能となる。
【００２２】
ここで包装袋１の製造工程の一例を以下に述べる。
【００２３】
包装袋１は、一側縁にはガセット部が設けられ、当該一側縁に対向する他側縁が開放状態になった長尺状のフィルム（以下、片ガセットフィルムと言うことがある）から製造される。上記ガセット部は、一側縁を谷折りにしたガセット構造となっており、一側縁を谷折りにして形成される２つの山（以下、ガセット半部と言うことがある）を有する。
（１）先ず、包装袋１の天面部５および立ち上がり部６が形成される領域を設けるため、ガセット半部の先端から基端までの間のうち一定幅で、図２（ａ）に示す包装袋１の正面から見て横方向に相当する方向（片ガセットフィルムの長手方向）に、ガセット半部の内側の面を接着する。この接着は、２つのガセット半部についてそれぞれ行われ、例えば、ヒートシールによって行われる。  
（２）そして、図２（ａ）に示す包装袋１の正面から見て横方向に相当する方向（片ガセットフィルムの長手方向）において所定間隔で、一側縁から他側縁までを一定幅で片ガセットフィルムを接着し、片ガセットフィルムに複数の接着部を形成させる。  
（３）次に、接着部の幅が半分になるように、図２（ａ）に示す包装袋１の高さ方向に相当する方向（片ガセットフィルムの短手方向）に沿って、複数の接着部をそれぞれ切断していくと、両側端が接着された個々の袋状のフィルムを得ることができる。  
（４）個々になった袋状のフィルムのうちガセット部を折り畳んで、天面部５、立ち上がり部６、および４つの側面部を形成することによって、底面部が開放状態の包装袋１を得ることができる。衛生用品は、その開放された他側縁から挿入され、図１の破断部分に示すように収容され、他側縁を折り込むことによって包装袋１に収容されることになる。折り込まれた他側縁は、接着によって封止される。
【００２４】
包装袋１の４つの側面部のうち対向する２つの側面部は、接着部を切断したときにできるシール部を中央付近にそれぞれ有し、残りの対向する２つの側面部は、シール部を有さない略フラットな面をそれぞれ有する。
【００２５】
図３に本発明の実施形態１に係る、包装袋１に形成される掴み代を掴んで開封する操作について説明するための図を示す。図３は、掴み代が形成された天面部５の、開封線７に対して垂直な方向の断面図である。本実施形態では、図３に示すように、頂部４の天面部５上に高さｈの掴み代２０が形成される。つまり、本実施形態に係る包装袋１には、天面部５上に掴み代２０が形成されるように間隙Ｌ２が設けられている。掴み代２０の高さｈとは、天面部５の垂直方向において、天面部５の上面から掴み代２０の上端までの距離をいう。
【００２６】
ユーザは、例えば、この掴み代２０を左手１１と右手１２の両手でそれぞれ掴んで、開封線７の両側を互いに離れる方向（図３では左手１１はＡ方向、右手１２はＢ方向）に引っ張って開封線７を破断させ、包装袋１を開封させる。天面部５上に掴み代２０が形成されることにより、包装袋１を簡単且つ迅速に開封することが可能となる。
【００２７】
本発明者らは、掴み代２０の高さｈを１ｃｍ以上、好ましくは２ｃｍ以上に設定すれば開封動作が行いやすくなることを確認した。また、掴み代２０が掴むことができる充分な高さを確保するため、間隙Ｌ２は、図２（ｂ）に示す短辺Ｌ１の２分の１以上がより好ましく、短辺Ｌ１の長さ以上がさらに好ましいことを確認した。
【００２８】
＜実施形態２＞  
本発明の実施形態２では、実施形態１と異ならせ、包装袋には、物品（本実施形態においては衛生用品２）を収容する際に間隙Ｌ２が形成されるように、衛生用品２の収容空間を規制する規制部を設ける。規制部は、例えば、ヒートシールによって形成される。衛生用品２の収容空間を規制することで、包装袋内に間隙Ｌ２が強制的に形成され、包装袋の天面部５に掴み代２０が形成され易くなり、その結果、掴み代を持って包装袋を開封しやすくなる。当該規制部を設けた包装袋の２つの形態について、次の実施形態２−１および実施形態２−２においてそれぞれ説明する。図４から図８に示す実施形態２−１および実施形態２−２に係る包装袋を構成する各要素のうち、同様の機能を有するものについては、実施形態１と同一の符号を付してその説明を省略する。
【００２９】
＜実施形態２−１＞  
本発明の実施形態２−１では、上記規制部を包装袋のうち２箇所に設ける例について説明する。
【００３０】
図４および図５に本発明の実施形態２−１に係る、規制部３０によって間隙が形成された包装袋１および包装体１１０を示し、図４は斜視図、図５は正面図である。
【００３１】
本実施形態に係る包装袋１では、衛生用品２を収容する際に間隙Ｌ２が形成されるように、衛生用品２の収容空間を規制する規制部３０が設けられる。具体的には、規制部３０は、図５に示すように、包装袋１のうち対向する２つの側面部の内側の面同士を２箇所接着することで形成される。図４に示すように、包装袋１のうち対向する側面部が頂部４付近において接着されているので、収容された衛生用品２が、これ以上包装袋１の上部に行かないようになり、間隙Ｌ２が保持されることになる。
【００３２】
本実施形態では、包装袋１の開放された底面部から衛生用品２を挿入する際に、当該規制部３０によって収容場所の範囲が定まり、強制的に包装袋内に間隙Ｌ２が形成される。本実施形態によれば、実施形態１より、包装袋１の天面部５に掴み代２０が形成され易くなり、その結果、包装袋１を簡単且つ迅速に開封することが可能となる。
【００３３】
本実施形態では、図４および図５に示すようにハの字の形状に規制部３０を設けることが好ましい。底面部から衛生用品２を挿入する際に衛生用品２によって生じる力（例えば挿入する力や復元力）によって、ヒートシールが容易に剥がれないようにするためである。
【００３４】
図６に本発明の実施形態２−１に係る包装袋１および包装体１１０に設けられる規制部の形状の一例を示す。本実施形態では、規制部３０は、ハの字の形状になっているが、これに限られず、ヒートシールが容易に剥がれないという効果が得られるのであれば、図６に示すような逆Ｌ字の形状の２つの規制部３０’であっても良い。
【００３５】
＜実施形態２−２＞  
本発明の実施形態２−２では、規制部を包装袋の四隅付近に設ける例について説明する。
【００３６】
図７および図８に本発明の実施形態２−２に係る、規制部３１によって間隙が形成された包装袋１および包装体１１１を示し、図７は斜視図、図８（ａ）は正面図、図８（ｂ）は図８（ａ）のＶＩＩＩＢ−ＶＩＩＩＢ方向断面図である。
【００３７】
本実施形態に係る包装袋１では、実施形態２−１と同様に、衛生用品２を収容する際に間隙Ｌ２が形成されるように、衛生用品２の収容空間を規制する規制部３１が設けられる。具体的には、規制部３１は、図８（ｂ）に示すように、包装袋１の四隅付近の、４つの側面部の内側の面同士をそれぞれ接着することで形成される。図８（ｂ）に示すように、包装袋１の四隅付近が接着され、包装袋１の断面積が包装袋１の天面部５の面積より小さくなっていることがわかる。よって、図８（ａ）に示すように、収容された衛生用品２が、これ以上包装袋１の上部に行かないようになり、間隙Ｌ２が保持されることになる。
【００３８】
本実施形態では、実施形態２−１と同様に、包装袋１の開放された底面部から衛生用品２を挿入する際に、当該規制部３１によって収容場所の範囲が定まり、強制的に包装袋内に間隙Ｌ２が形成される。したがって、実施形態２−１と同様の効果を得ることが可能となる。
【００３９】
＜その他＞  
本発明は、上述した実施形態１および実施形態２や、随所に述べた変形例に限られることなく、本発明の技術的思想から逸脱しない範囲で、適宜の変更や変形が可能である。
【００４０】
例えば、上記各実施形態では、開封線７は、略長方形である包装袋の上面のうち長辺と平行な方向に形成されているが、これに限られず、包装袋の天面部５上であれば、当該長辺と交差する方向に形成されても良い。
【００４１】
また、上記各実施形態に係る包装袋の頂部４には、開封後に包装袋の内部を開放／閉塞することが可能な開閉部としてジッパー形態のチャック部等が設けられても良い。これにより、衛生用品を取り出した後、開閉部により包装袋の開口を閉塞することが可能となるため、開封後に塵埃や虫などの異物が混入し衛生用品２に付着することを防止することが可能となる。上述のように収容した衛生用品２と天面部５とに間隙Ｌ２を設けることは、衛生用品の実質的な収容空間よりも上に、開閉部を設けやすくする観点からも有効である。
【００４２】
さらに、上記各実施形態に係る包装袋において、間隙Ｌ２が設けられることにより、開封後に、包装袋のうち胴部３から上の部位は、自由に折り畳める領域を有することになるので、当該領域を折り畳んで開封後の包装袋の開口を覆うようにしても良い。具体的には、例えば、包装袋の立ち上がり部６の先端縁に開閉部を構成する一方の要素を設け、対応する他方の構成要素を包装袋の側壁に設けて、当該開閉部により包装袋を閉塞するようにしても良い。他の例を挙げれば、使い捨ておむつに使用される廃棄用テープを包装袋の頂部に設けて、開封後の包装袋を閉塞するようにしても良い。 これにより、上記開閉部を設けたものと同様に、異物が混入し衛生用品２に付着することを防止することが可能となる。
【００４３】
また、上記各実施形態に係る包装袋には、複数の衛生用品が圧縮されて１段分収容されているが、複数段収容されても良い。ここで、衛生用品を２段分収容している包装袋から衛生用品を１段分取り出し、包装袋に衛生用品の１段分の空間がさらに設けられた場合、包装袋のうち衛生用品の収容空間から上の部位を、例えば、折り畳んで包装袋の底面部に巻き付けても良い。具体的には、例えば、上記例と同様に、包装袋の立ち上がり部６の先端縁に開閉部を構成する一方の要素を設け、対応する他方の構成要素を包装袋の側壁や底面部に設けて、当該開閉部により包装袋を閉塞するようにしても良い。これにより、開封後の包装袋の開口を覆うことができ、且つ、包装袋全体をコンパクトな形状にすることが可能となる。
【００４４】
上記各実施形態に係る包装袋は、立ち上がり部６の内側（または外側）の面に基端領域が接着された一対の持ち手部を備えても良い。これにより、開封後であっても、当該持ち手部を持って包装袋を持ち運ぶことが容易となる。
【００４５】
上記各実施形態において、規制部は、実施形態２−１では包装袋１のうち２箇所に、実施形態２−２では包装袋１の四隅付近にそれぞれ形成されているが、包装袋１内に間隙Ｌ２が形成されるという目的が達成されれば、包装袋１のどの箇所に設けられても良い。
【００４６】
また、上記各実施形態に係る包装袋には、立ち上がり部６が形成されているが、立ち上がり部６を形成しない形態であっても良い。これにより、包装袋全体をコンパクトな形状にすることが可能となる。
【符号の説明】
【００４７】
１  包装袋
２  衛生用品
３  胴部
４  頂部
５  天面部
６  立ち上がり部
７  開封線
２０  掴み代
３０、３０’、３１  規制部
１００、１１０、１１１  包装体
【図１】
0006358169.tif 000002
【図２】
0006358169.tif 000003
【図３】
0006358169.tif 000004
【図４】
0006358169.tif 000005
【図５】
0006358169.tif 000006
【図６】
0006358169.tif 000007
【図７】
0006358169.tif 000008
【図８】
0006358169.tif 000009